(57)【要約】  着用者の体をウエストと２つの大腿部の間で覆うための衣服、特に水着は、実質的に不浸透性の材料１のシェルと、使用中の着用者の皮膚に隣接する透水性の内側裏地材料１１と、実質的に不浸透性材料のシェルと内側裏地素材との間に配置された抗菌剤を有する。抗菌剤は、シェルと内側裏地材料との間に配置されたテキスタイル９上に物理蒸着プロセスによって蒸着された銀でもよい。衣服は水泳用おむつの裏地を形成する場合があり、その組み合わせは１点の水着を提供する。【選択図】  図８
2022502578.tif 000002
【特許請求の範囲】
【請求項１】
使用中、ウエストと２つの大腿部の間にある着用者の体を覆うための衣服であって、前記衣服は、実質的に不浸透性の材料からなるシェルと、使用中に前記着用者の皮膚に隣接する透水性の内側裏地材料と、前記実質的に不浸透性の材料のシェルと前記内側裏地材料の間に配置された抗菌剤とを含む衣服。
【請求項２】
前記シェルがテキスタイル材料から形成されている請求項１に記載の衣服。
【請求項３】
前記内側裏地材料がテキスタイル材料から形成されている請求項１または２に記載の衣服。
【請求項４】
前記抗菌剤が無機物である請求項１乃至３のいずれか１項に記載の衣服。
【請求項５】
前記抗菌剤が金属である請求項４に記載の衣服。
【請求項６】
前記抗菌剤が銀である請求項５に記載の衣服。
【請求項７】
前記抗菌剤がテキスタイル材料上に配置されている請求項１乃至６のいずれか１項に記載の衣服。
【請求項８】
前記抗菌剤が、真空蒸着などの物理蒸着プロセスによって前記テキスタイル材料上にコーティングされている請求項７に記載の衣服。
【請求項９】
前記抗菌剤が前記テキスタイル材料の少なくとも１重量％を構成する請求項７または８に記載の衣服。
【請求項１０】
前記テキスタイル材料は編まれている請求項７乃至９のいずれか１項に記載の衣服。
【請求項１１】
前記テキスタイル材料は、１３０デニールから１７０デニールの間のマルチフィラメント糸から形成される請求項７乃至１０のいずれか１項に記載の衣服。
【請求項１２】
前記テキスタイルは、１平方メートルあたり１００グラムから１５０グラムの範囲の質量を有する請求項７乃至１１のいずれか１項に記載の衣服。
【請求項１３】
前記テキスタイルは、少なくとも前記衣服の股下領域内および／または前記衣服のウエスト開口部および２つの脚開口部に隣接して配置されている請求項７乃至１２のいずれか１項に記載の衣服。
【請求項１４】
前記ウエスト開口部および２つの脚開口部は伸縮性がある請求項１３に記載の衣服。
【請求項１５】
前記衣服は水着である請求項１乃至１４のいずれか１項に記載の衣服。
【請求項１６】
使用中、少なくとも前記ウエストと２つの大腿部の間にある着用者の体を覆うための外衣と、使用中、前記ウエストと２つの大腿部の間にある着用者の体を覆うための内衣とを備え、前記内衣は抗菌剤を含んでいる水着。
【請求項１７】
前記内衣は、請求項１乃至１５のいずれか１項で記載されたものである請求項１６に記載の水着。
【請求項１８】
前記内衣は、前記外衣に取り付けられている請求項１６または１７に記載の水着。
【請求項１９】
前記内衣は、前記内衣の前記ウエストの周りが少なくとも部分的に前記外衣に取り付けられている請求項１８に記載の水着。
【請求項２０】
前記内衣は、前記外衣に縫い付けられている請求項１８または１９に記載の水着。
【請求項２１】
前記内衣は、前記外衣に解放可能に取り付けられている請求項１８または１９に記載の水着。
【請求項２２】
前記内衣は、前記外衣内に収まるようなサイズである請求項１６乃至２１のいずれか１項に記載の水着。
【請求項２３】
前記外衣は、実質的に不浸透性の材料の本体と、複数の伸縮性のあるウエストバンドおよびレッグバンドとを含む請求項１６乃至２２のいずれか１項に記載の水着。
【請求項２４】
ａ．糸またはテキスタイルを供給するステップと、
ｂ．真空蒸着などの物理蒸着プロセスを使用して、前記糸またはテキスタイルを抗菌剤でコーティングするステップと、
ｃ．存在する場合、前記糸をテキスタイルに形成するステップ、及び、
ｄ．前記コーティングされたテキスタイルを含む衣服を形成するステップ、
を含む水着の製造方法。
【請求項２５】
前記抗菌剤は銀である請求項２４に記載の製造方法。
【請求項２６】
前記コーティングされたテキスタイルは、少なくとも１重量％の銀を含む請求項２５に記載の製造方法。
【請求項２７】
前記コーティングされたテキスタイル材料が、１３０デニールから１７０デニールのマルチフィラメント糸から形成され、および／または１平方メートルあたり１００グラムから１５０グラムの範囲の質量を有する請求項２４乃至２６のいずれか１項に記載の製造方法。
【請求項２８】
前記コーティングされたテキスタイルは、少なくとも衣服の股下領域内および／または前記衣服のウエスト開口部および２つの脚開口部に隣接して配置される請求項２４乃至２７のいずれか１項に記載の製造方法。
【請求項２９】
前記衣服は、使用中、前記ウエストと２つの大腿部の間にある着用者の体を覆うためのものであり、実質的に不浸透性の材料のシェルと、使用中に前記着用者の皮膚に隣接する透水性の内側裏地材料とを備え、前記コーティングされたテキスタイルは、前記実質的に不浸透性の材料のシェルと前記内側裏地材料との間に配置されている請求項２４乃至２８のいずれか１項に記載の製造方法。
【請求項３０】
泳者によるスイミングプールの汚染を低減する方法であって、
前記泳者は、請求項１乃至１５のいずれか１項に記載の衣服、または請求項２４乃至２９のいずれか１項に記載の製造方法で製造された衣服を着用し、
前記泳者は、前記衣服の上に水泳用おむつを着用し、前記水泳用おむつは、実質的に不浸透性の材料の本体と、伸縮性のあるウエストバンドおよび複数のレッグバンドを備えるか、
または、請求項１６乃至２３のいずれか１項に記載の水着を着用する、
ことを備える方法。
【発明の詳細な説明】
【技術分野】
【０００１】
本発明は、衣服、特に（しかしそれだけには限らない）、水着、水泳用おむつ（swim nappy）またはおしめ（diaper）、および／または水着または水泳用おむつまたはおしめの裏地（liner）に関する。
【背景技術】
【０００２】
水泳用おむつは、水泳を学ぶ乳児またはとても幼い子どもが着用し、スイミングプールの汚染を最小限に抑えるために、スイミングプールにいる間に着用者が排出する糞便を封じ込めることを目的とするものである。
【０００３】
実際には、現在の水泳用おむつは、安全で快適に着用できる衣服でありながら、おむつと着用者の間には良好なシール（seal）を得ることが難しいため、糞便を１００％効果的保持しない。その結果、糞便中に存在するバクテリアやその他の病原体（pathogens）は、スイミングプールの水に侵入する経路を見つけることができる。これは望ましくない。
【０００４】
この問題に対処するために、おむつに放出された糞便中のバクテリアや他の病原体を殺し、スイミングプールの水の汚染を回避するために、抗菌剤を組み込んだ様々な水泳用おむつが提案されている。例えば、米国公開第２０１３／０２６１５８０号は、ブリーフの形の水泳用衣服を開示している。この衣服は、銀ベースの抗菌溶液で処理された不織布支持層（non-woven textile support layer）にラミネートされたプラスチックフィルムから構成される通気性があり（breathable）、非吸収性がある（non-absorbent）、不織布材料の単層から形成されている。同様に、中国実用新案登録第２０２５０４２１５Ｕ号は、バクテリアが着用者の皮膚に侵入するのを防ぐことを目的とした、外側の防水層と内側の抗菌テキスタイル層から形成された水泳用トランクス（swimming trunks）を開示している。
【先行技術文献】
【特許文献】
【０００５】
【特許文献１】米国公開第２０１３／０２６１５８０号
【特許文献２】中国実用新案登録第２０２５０４２１５Ｕ号
【特許文献３】中国特許第１００３５７５１５号
【特許文献４】国際公開第２０１８／０８３４７４号
【発明の概要】
【発明が解決しようとする課題】
【０００６】
実際には、抗菌剤を組み込んだ既存の衣服は、有害なバクテリア（特にクリプトスポリジウム［Cryptosporidium］）を十分に中和して、スイミングプールの汚染を安全なレベルまで減らすのに効果がないことが証明されている。しかし、改良された衣服を提供しようとする際に、特定のより効果的な抗菌剤でコーティングされた衣服が不快感を引き起こす可能性があるため、皮膚に隣接して着用することは望ましくない可能性があり、また時間の経過とともに一部の銀含有抗菌剤は変色し、衣服をユーザーにとって魅力のないものにすることに、出願人は気が付いた。
【０００７】
本発明の複数の実施態様は、上記の問題に対処しようとし、スイミングプールの水に入る着用者によって排出される糞便中に存在する病原体を低減（または排除）することを目的とする。
【課題を解決するための手段】
【０００８】
本発明の第１の実施の態様によれば、使用中、ウエストと２つの大腿部の間にある着用者の体を覆うための衣服が提供され、この衣服は、実質的に不浸透性の材料からなるシェルと、使用中に着用者の皮膚に隣接する透水性の内側裏地材料と、実質的に不浸透性の材料からなるシェルと内側裏地材料との間に配置された抗菌剤とを含んでいる。
【０００９】
この衣服は水着として有用であり、実質的に不浸透性の材料からなるシェルは、バクテリアまたは他の病原体が抗菌剤によって破壊または無害（harmless）にされる可能性がある衣服内に、衣服の着用（wear）によって、放出される糞便または他の物質を封じ込めるのに役立つ。シェルと内側裏地の間に抗菌剤を配置することで、着用者の快適性や安全性を損なうことなく、適切に効果的な抗菌材料を選択する際の選択の自由が広がる。
【００１０】
シェルは、テキスタイル材料から形成することができる。それを実質的に不浸透性にするためにそれをコーティングしてもよい。テキスタイルは織られてもよい。テキスタイルは、ナイロンなどの合成糸から形成することができる。テキスタイルは、６０デニールから８０デニール、好ましくは約７０デニールの糸から形成されてもよく、１７０から２１０、好ましくは約１９０のスレッドカウント（thread count）を有してもよい。シェルは、衣服の外側を形成してもよい。
【００１１】
衣服は、ウエスト開口部と２つの脚開口部を備えたブリーフの形をとることができる。複数の開口部は伸縮性があってもよい。シェルは、１つ、２つ、またはそれ以上のパネルから形成することができる。一実施態様では、それは、衣服の各側で一緒に接続された単一のパネルを形成する。衣服の片側または両側で、パネルは、例えば面ファスナテープ（hook and loop tape）または他の適切な締結具（fastening）によって、解放可能に接続されてもよい。
【００１２】
内側裏地材料は、編むことができるテキスタイル材料から形成してもよい。それは、ポリエステル糸、好ましくはマルチフィラメント糸などの合成糸から形成することができる。糸は４０から５０の間のデニールを有してもよい。テキスタイルは、１平方メートルあたり１７０グラムから１１５グラム（ｇｓｍ）の範囲の質量を有してもよく、好ましくは約１２５ｇｓｍである。
【００１３】
抗菌剤は無機物でもよい。抗菌剤は金属でもよく、銀、チタン、ゲルマニウム、亜鉛および銅のうちの１種以上を含んでいてもよい。抗菌剤は、実質的に銀からなることができる。
【００１４】
抗菌剤は、テキスタイル材料上に配置してもよい。このテキスタイルは、衣服のシェルと内側裏地の間に配置された追加のテキスタイルであってもよい。抗菌剤は、真空蒸着などの物理蒸着プロセスによってテキスタイル材料にコーティングすることができる。したがって、本発明は、このようなプロセスを使用してテキスタイルを形成し、そのいずれかをその後衣服の製造に使用するために、抗菌剤をテキスタイルまたは糸にコーティングするステップを伴う衣服の製造方法も含む。適切な蒸着プロセスは、中国特許第１００３５７５１５号に記載されている。
【００１５】
抗菌剤は、テキスタイル材料の少なくとも０．５重量％、１重量％、１．５重量％、２重量％、２．５重量％、または３重量％を構成し得る。１つの好ましい実施態様では、抗菌剤は銀であり、テキスタイルの１重量％から３重量％、好ましくは約２重量％を構成する。
【００１６】
抗菌剤を備えたテキスタイルは編まれていてもよい。このテキスタイルは、１３０デニールから１７０デニールの間のマルチフィラメント糸から形成されていてもよい。このテキスタイルは、１００ｇｓｍから１５０ｇｓｍの範囲の質量を有していてもよい。このテキスタイルは、合成糸から形成されていてもよく、適切な糸はポリエステルである。
【００１７】
抗菌剤を備えたテキスタイルは、少なくとも衣服の股下領域内および／または衣服のウエスト開口部および２つの脚開口部に隣接して配置されてもよい。
【００１８】
本発明の第２の実施の態様によれば、使用中、少なくともウエストと２つの大腿部の間にある着用者の体を覆うための外衣と、使用中、ウエストと２つの大腿部の間にある着用者の体を覆うための内衣が提供される。内衣は抗菌剤を含み、外衣に取り付けられている。
【００１９】
内衣は、本発明の第１の実施の態様による衣服でもよい。
【００２０】
内衣は、いずれかの適切な方法で、適切な１つ又は複数の点で外衣に取り付けられる。一実施態様では、内衣は、内衣のウエストの周りで部分的または全体的に外衣に取り付けられている。
【００２１】
内衣は、外衣に恒久的に取り付けられてもよい。内衣は、外衣に縫い付けられていてもよい。内衣は、１つまたは複数の解放可能なファスナなどによって、外衣に解放可能に取り付けられていてもよい。
【００２２】
内衣は、外衣内に収まるようなサイズであることが好ましい。外衣は、実質的に不浸透性の材料の本体と、複数の伸縮性のあるウエストバンドおよびレッグバンドを含んでいてもよい。この場合、内衣は、外衣の本体内に収まるようなサイズであることが好ましい。したがって、内衣の脚開口部およびウエスト開口部は、外衣の本体の対応する脚開口部およびウエスト開口部と一致するか、またはちょうどその中に収まることができる。このように、内衣の伸縮性のある複数の開口部と、外衣の伸縮性のある複数のレッグバンドおよびウエストバンドは、別々に着用者に接触し、全体として衣服に出入りする物質の通過に対して着用者に対する部分的なシールを形成する。
【００２３】
外衣は、実質的に不浸透性の複数のパネルから形成することができる。それは、ウエストバンドが、１つ又は複数のパネルの材料から形成されることも含み得る。ウエストバンドには、上エッジと下エッジ（top edge and bottom edge）があってもよい。上エッジが下エッジよりも短くてもよい。下エッジは、外衣の残りの部分の上エッジに取り付けてもよい。外衣はさらに２つの後パネルを含んでいてもよい。これらは、隣接する湾曲したエッジに沿って接合してもよい。外衣は、使用時に、外衣の後部のウエストバンドの上エッジが、外衣の前部のウエストバンドの上エッジを超えて延びるように成形されてもよい。その結果、外衣は、着用者の正面よりも着用者の背面がさらに上方に延びる。
【００２４】
外衣の背面の上エッジは凸状であってもよい。外衣の正面の上エッジは凹状であってもよい。外衣の上エッジは、その外周部に滑らかな曲線を形成してもよい。
【００２５】
ウエストバンドは、実質的に一定の深さを有してもよい。ウエストバンドは、例えば生地（fabric）などの２つ以上のパネルの材料から形成してもよい。ウエストバンドを形成する１つまたは複数のパネルの材料は、実質的に台形の形状であってもよく、複数のパネルのより短い平行な１つ辺または複数の辺は、ウエストバンドの上エッジを形成してもよい。
【００２６】
ウエストバンドは、弾力的に伸縮性のある（resiliently stretchable）生地から形成してもよい。生地は、ハイストレッチファブリック（high stretch fabric）として知られているタイプのものでもよい。それは、トリコットニット（tricot knit）などの編物、生地、または織物（woven fabric）であり得る。それは、天然ゴム、または、例えば、エラスタン（スパンデックス）などの合成ゴムのような弾性線維の割合を含んでもよい。それは、少なくとも２０％または少なくとも２５％の弾性線維を含んでいてもよい。残りは、天然繊維、またはナイロンなどの合成繊維であってもよい。
【００２７】
外衣の残りの部分の前部の上エッジは凹状であってもよく、および／または外衣の残りの部分の後部の上エッジは凸状であってもよい。すなわち、外衣の最終的な上エッジの形状は、ウエストバンドではなく、外衣の残りの部分の上エッジの形状によって作成される。
【００２８】
あるいは、ウエストバンドを形作ることにより、外衣の上エッジの所望の形状を作成および／または与えることが可能である。したがって、ウエストバンドは、凸状の上エッジを有する後部および／または凹状の上エッジを含む前部を含んでいてもよい。
【００２９】
２つの後パネルは、鏡面対称（mirror opposites）でもよく、隣接する複数の対向する湾曲したエッジに沿って結合されてもよい。複数の対向する湾曲したエッジは、凹状部分と凸状部分の両方を有してもよい。このように複数の後パネルを形作ることで、外衣を着用者の臀部の輪郭によりよくフィットさせることができる。
【００３０】
外衣は、それぞれが後パネルのそれぞれの側方エッジに結合された複数の対向する側方エッジを有する前パネルを含んでいてもよい。
【００３１】
外衣は、使用中の着用者の２つの脚の間に延びる股下パネル（crotch panel）を含んでいてもよい。
【００３２】
前パネル、後パネル、および股下パネルは、それら自体が、単一のパネルまたは２つ以上のパネルが結合されて、所望の全体的な形状の１つのパネルを構成することによって形成されてもよい。複数のパネルは、弾力的に伸縮性のある材料から形成することができる。複数のパネルは、片面または両面が生地でラミネートされたシート材料から形成してもよい。複数のパネルは、ウエストバンドおよび／または複数のレッグバンドを形成する材料よりも高い弾性率（elastic modulus）を有する材料から形成してもよい。
【００３３】
股下パネルは、各後パネルの下エッジ、および任意の前パネルの下エッジに接合してもよい。
【００３４】
外衣の複数のパネルは、任意の適切な手段によって一緒に接合してもよい。縫製が適している。複数のパネルは、扁平縫い（flat lock stitching）を使用するなどして、隣接する複数のエッジを当接させて接合してもよい。または、複数のパネルを縫い目で接合して、外衣の内側に配置するのが理想的である。もちろん、接着剤や溶接などの他の接合技術を使用することもできる。
【００３５】
ウエストバンドは、股下パネルと接合している前パネルまたは後パネルの下エッジの点と、ウエストバンドと接合している前パネルまたは後パネルの上エッジとの間の最短距離の少なくとも１０％、１５％、２０％、２５％、または３０％の距離だけ、外衣の上エッジより上に延びていてもよい。ウエストバンドの深さ（または幅）が大きいほど、使用中の外衣内に物質をより効果的に封じ込めることができる。例えば、３歳未満の乳児または幼児が着用することを意図した外衣の場合、ウエストバンドは、好ましくは、少なくとも５ｃｍ、６ｃｍ、７ｃｍまたは８ｃｍの深さを有する。
【００３６】
外衣は、弾力的に伸縮性があり、上述のようなウエストバンドと同じ材料から形成される複数のレッグバンドを含んでいてもよい。
【００３７】
使用中、着用者の体とシールを形成するように配置された各脚開口部および／またはウエスト開口部の内側の周りにシールを配置してもよい。シールは、天然または合成ゴムまたはシリコーンゴムのストリップなどのシール材料のストリップによって形成してもよい。
【００３８】
外衣は、ブリーフ、または一組の半ズボン（shorts）またはトランクスの形をしていてもよい。
【００３９】
本発明の第３の実施の態様によれば、以下のステップを含む水着の製造方法が提供される：
糸またはテキスタイルを提供するステップ；
真空蒸着プロセスを使用して、糸またはテキスタイルを抗菌剤でコーティングするステップ；
存在する場合、糸をテキスタイルに形成するステップ；
コーティングされたテキスタイルを含む衣服を形成するステップ。
【００４０】
本発明の第４の実施の態様によれば、真空蒸着などの物理蒸着プロセスによって塗布された抗菌剤のコーティングを有する生地を含む水着が提供される。
【００４１】
抗菌剤は銀でもよく、コーティングされたテキスタイルは、少なくとも０．５重量％、１重量％、１．５重量％、２重量％、２．５重量％、または３重量％の銀を含んでいてもよい。１つの好ましい実施態様では、銀は、テキスタイルの１重量％〜３重量％、好ましくは約２重量％を構成する。コーティングされたテキスタイル材料は、１３０デニール〜１７０デニールのマルチフィラメント糸から形成され、および／または１００ｇｓｍ〜１５０ｇｓｍの範囲の質量を有する。
【００４２】
コーティングされたテキスタイルは、少なくとも衣服の股下領域内、および衣服のウエスト開口部および２つの脚開口部に隣接して配置してもよい。
【００４３】
本発明の別の態様によれば、泳者によるスイミングプールの汚染を低減する方法が提供される。泳者が本発明の第１または第４の態様のいずれかによる衣服を着用するか、その衣服の上に水泳用おむつを着用し、水泳用おむつは、実質的に不浸透性の材料の本体と、伸縮性のあるウエストバンドおよび複数のレッグバンドを備えるか、または、本発明の第２の態様による水着を着用する。
【００４４】
本発明のすべての態様による複数の衣服は、洗濯して複数の衣服を再利用できるようにすることができる材料から作成してもよい。
【図面の簡単な説明】
【００４５】
【図１】ブリーフの正面図である。
【図２】図１のブリーフの背面図である。
【図３】図１のブリーフの左側面図である。
【図４】図１のブリーフの右側面図である。
【図５】図１のブリーフの左側を開いた状態のブリーフの左側面図である。
【図６】図１のブリーフの平面図である。
【図７】図１のブリーフの底面図です。
【図８】図１のブリーフの一部を切り取った正面斜視図と、円で囲まれた領域の拡大図である。
【図９】抗菌テキスタイルを明らかにするために内側のテキスタイルおよび締結具が除去された、図１のブリーフの正面図である。
【図１０】図９のブリーフの左側面図である。
【図１１】図９のブリーフの平面図である。
【図１２】水泳用おむつに覆われたユーザーが着用する使用中の図１〜１１のブリーフの一部を切り取った図である。
【図１３】別の水泳用おむつの一部を切り取った斜視図である。
【図１４】図１３の水泳用おむつの正面図である。
【図１５】図１３の水泳用おむつの背面図である。
【図１６】図１３の水泳用おむつの側面図である。
【図１７】図１３の水泳用おむつを正面から見た斜視図である。
【図１８】図１３の水泳用おむつを背面から見た斜視図である。
【図１９】図１３の水泳用おむつの後パネルを示す図である。
【図２０】図１３の水泳用おむつの他の後パネルを示す図である。
【図２１】図１３の水泳用おむつの前パネルを示す図である。
【図２２】図１３の水泳用おむつの股下パネルを示す図である。
【図２３】図１３の水泳用おむつのウエストバンドの前パネルを示す図である。
【図２４】図１３の水泳用おむつのウエストバンドの後パネルを示す図である。
【図２５】図１３の水泳用おむつのレッグバンドを示す図である。
【図２６】図１３の水泳用おむつの一部を形成する裏地の正面斜視図である。
【図２７】図２６の裏地に含まれる３層のテキスタイル層を示す、開いた分解図である。
【発明を実施するための形態】
【００４６】
本発明をより明確に理解させるために、その実施形態を、例としてのみ、添付の図面を参照して説明する。
【００４７】
以下では、上、下、側方、内側、外側、前、後という用語は、図に示されている向きで複数の衣服を説明するために使用される。これは、直立している人が着用するときに採用する向きであり、それ以外の限定をするものではない。対応する参照番号は、図面全体で同じまたは同等の特徴を示すために使用される。図面は均一の縮尺ではない。
【００４８】
図面中の図１から図１１を参照すると、ブリーフの形で衣服が示されている。ブリーフは、水着として、または水着の下の裏地として、または乳児や非常に幼い子供用の水泳用おむつとして着用され、おむつ又はおしめとして機能することを目的とする。しかしながら、このブリーフは、便失禁（bowel incontinence）に苦しむ年長の子供や大人も利用できる。
【００４９】
ブリーフは、外側テキスタイル、内側テキスタイル、中間テキスタイル、およびバインディングテキスタイルで構成されている。
【００５０】
この実施例では、複数の外側テキスタイルは７０デニールのナイロンの完全に伸ばされた生糸（fully drawn yarn）で織られており、スレッドカウントは１９０である。外側テキスタイルは水について実質的に不浸透性である。外側テキスタイルは、使用中にブリーフ内に物質を収めるように機能する。
【００５１】
内側テキスタイルは、５０デニールの７２フィラメントポリエステル糸で編まれており、１平方メートルあたり約１２５グラムの質量を有する。このテキスタイルは浸透性があり、手触りが柔らかい。内側テキスタイルは着用者の肌に柔らかな感触を与え、ブリーフを快適に着用できるようにする。また、溶解した糞便を含む水などの液体は通過できるが、特定のサイズを超える固形物は通過できないため、ブリーフ内に固形物を保持するのに役立つ。
【００５２】
中間テキスタイルは、１５０デニールのマルチフィラメントポリエステル糸から編まれており、１平方メートルあたり１３０グラムの質量を有する。編み上げ後、実質的に純粋な銀をスパッタリングして銀イオンをテキスタイルに蒸着させる真空蒸着プロセスを使用して、テキスタイルの両面を銀でコーティングし、銀がテキスタイルの約２重量％を占めるようにする。蒸着プロセスによって蒸着された銀の粒子が結合して、テキスタイルを形成する布の表面にコーティングを形成することが見出されている。ISO 105-E04：2013に従って、人間の汗の作用下での耐変色性のテストにかけた場合、酸性の汗（２番目の溶液）でテストすると、３２ｐｐｍの銀の濃度が生成される。中間テキスタイルは抗菌特性を持ち、バクテリア及び／または他の病原体を殺すか、繁殖を防ぐ働きをする。
【００５３】
バインディングテキスタイルは、８２％のナイロンと１８％のエラスタンから編まれた弾力的に伸縮性のあるテキスタイルで、１平方メートルあたり約１８５グラムの質量を有する。
【００５４】
ブリーフの外側のシェルは、外側テキスタイルの単一のパネル１から形成されている。このパネルの複数のエッジは、ブリーフの右側に沿って２の位置で縫い合わされている。ブリーフの左側では、２つのパネルが重なり、ブリーフの重なり合う面の内側と外側に面した面ファスナテープ（hook and loop tape）３，４、またはその他の適切な締結媒体（fastening medium）の複数のパネルによって解放可能に締結されている。ブリーフを片側に沿って締めたり緩めたりできるので、ブリーフの着用者への装着と着用者からの取り外しが容易である。外側のシェルは、ウエスト開口部５と２つの脚開口部６，７を画定する。股下部分は２つの脚開口部の間を延びる。
【００５５】
外側テキスタイルから形成された外面を備えた複数の内側脚パネル８は、各脚開口部の下半分に沿って脚開口部６、７のエッジのすぐ内側で締結されている。各脚パネルは、実質的に真っ直ぐな自由端に対向する脚開口部に縫い付けられた凸状に湾曲した端（side）を有する。代替する実施態様では、内側脚パネル８は省略されている。
【００５６】
中間テキスタイルの略長方形のストリップ９は、股下領域の内側に配置され、中間テキスタイル１０のそれぞれのパネルは、複数の脚パネルと実質的に同じ形状を有しており、各内側脚パネル８の内側の上に配置される。
【００５７】
内側テキスタイルの単一のパネル１１が、ブリーフの内側全体の上に配置されている。
【００５８】
中間テキスタイルの複数の細長い略長方形のストリップ１２は、それらの中心線に沿ってウエスト開口部および２つの脚開口部の複数のエッジの上で折り畳まれ、複数の開口部を囲むブリーフの複数のエッジの両側に隣接する中間テキスタイルのバンドを備える。さらに、中間テキスタイルの複数の細長い矩形状のストリップ１２は、複数の内側脚パネル８の複数の自由端の上で折り畳まれ、中間テキスタイルの矩形状のストリップは、面ファスナテープの一部の内側のエッジに沿って延びる。
【００５９】
中間テキスタイルのストリップよりもわずかに広い幅のバインディングテキスタイルの複数の細長い略矩形状のストリップ１４は、引き伸ばされた状態で、中間テキスタイルの複数のストリップの上にそれらの中心線に沿って折り畳まれ、２本の略平行なステッチ線がバインディングテキスタイルを通して形成される。このステッチは、バインディングテキスタイルのストリップの対向する側面（sides）を、中間テキスタイルの複数のストリップと、外側、内側、および存在する場合はバインディングテキスタイルのストリップの対向する２つの側面間にある中間テキスタイルからなる複数の層に沿って一緒に固定する。これは、ブリーフを形成するテキスタイルのさまざまな複数のパネルと複数のストリップを一緒に保持し、伸縮性があり、引き伸ばし可能な、脚開口部とウエスト開口部を提供する。面ファスナテープを所定の位置で固定するため、バインディングテキスタイルは、面ファスナテープを縁取る（borders）中間テキスタイルのストリップにも縫い付けられている。
【００６０】
使用中、ブリーフは着用者にフィットするサイズになっており、伸縮性のあるウエスト開口部及び脚開口部、および複数の脚パネルの伸縮性のある複数のエッジが着用者のウエストと２本の脚をしっかりと掴む。任意で、図１２に示すように、従来のタイプの水泳用おむつの下にこのブリーフを着用することもできる。図１２は、図１から図１１に示すような内側のブリーフを明らかにするために、従来の水泳用おむつ１３を大きく切り開いて示している。国際公開第２０１８／０８３４７４号に記載のタイプの水泳用おむつ１３は、ネオプレン（neoprene）などの不浸透性材料の複数のパネルから形成された本体１５を有し、その周りに伸縮性のあるバンド１６を延ばすようにウエスト開口部および２つの脚開口部を画定している。特に、ウエストバンドの上エッジおよびレッグバンドの複数の下エッジ、及び好ましくは各バンドの主要部分は、内側のブリーフのウエスト開口部および２つの脚開口部を超えて延びる。
【００６１】
使用中、ブリーフの実質的に不浸透性の外側のシェルは、ブリーフ内に液体と固体の両方を収めるのに機能する。ブリーフからの（またはブリーフへの）液体またはその他の物質の通過は、着用者に対してシールされていないので、脚開口部及びまたはウエスト開口部を介して行う必要がある。ブリーフ内に収まる液体および溶解物は、ブリーフの股下領域で銀コーティングをされた中間テキスタイルと接触する。銀コーティングには抗菌作用があり、接触して侵入する液体や物質に含まれるバクテリアやその他の病原体を殺すか、繁殖を抑制する。また、コーティングからの銀は、ブリーフ内に収まる液体に分散する可能性がある。銀コーティングと分散した銀が液体と物質を効果的に処理するためには、通常、一定期間、場合によっては最大約５分間物質にさらされる必要がある。したがって、ブリーフが実質的に物質を収め、銀コーティングによって効果的に処理される可能性を高める点で、伸縮性のある複数の脚開口部およびウエスト開口部がブリーフ内の液体および固体の物質を保持することが有用である。しかしながら、最終的には、複数の開口部は着用者に対して完全にシールされていないため、ブリーフに出入りする物質の通過を許し、主にスイミングプールの水にブリーフから流出した糞便が分散または溶解し、水を汚染する。中間テキスタイルはウエスト開口部と２つの脚開口部の周りに配置されているため、衣服にから出る、または入る液体やその他の物質は、このテキスタイルを通過（または近接）して銀コーティングに接触し、銀の活性抗菌剤の効果を高める。銀の活性抗菌剤の効果は、ブリーフ内に含まれている間に、まだ処理されていない液体または物質に含まれているバクテリアまたは他の病原体を殺すか、または繁殖を阻害する。
【００６２】
ブリーフは洗浄して繰り返し再使用できる。たとえば、６ヶ月間繰り返し洗浄しても、抗菌剤としての銀コーティングの効果が大幅に低下することはない。６ヶ月は、乳児や幼児にとって水着の典型的な耐用年数であり、その期間を超えると、彼らは通常、より大きなサイズの衣服を必要とするほど十分に成長する。
【００６３】
ブリーフが従来の水泳用おむつの下で着用される場合、これはさらに物質を収めるのに役立ち、ウエスト開口部と２つの脚開口部を介して水泳用おむつ及びブリーフの中に入り、及びブリーフの中からプールの水がスイミングプールに流れる前に、中間テキスタイルの銀コーティングによって処理され、無害になる可能性を最大化する。
【００６４】
図１３から図２７には、水泳用おむつが示されている。水泳用おむつは、外衣（通常は１５）とブリーフの形の内衣で構成され、どちらも単一のウエスト開口部５と２つの脚開口部６、７を画定している。
【００６５】
外衣は、単一の前パネル１７、２つの後パネル１８および１９、１つの股下パネル２０から形成される本体を含んでいる。これらの複数のパネルはすべて実質的に不浸透性であり、ポリエステルやナイロン生地などの合成織物の２つの層の間に積層された、約１ｍｍの厚さのネオプレンの層から形成される。ネオプレンの層が含まれているため、生地は弾力的に伸縮性がある。複数のパネルは以下でさらに説明するように、一緒に接合されて、ウエスト開口部および２つの脚開口部を有する衣服を形成し、２つの脚開口部はそれぞれ、ウエスト開口部に対して約４５度の角度で延びる。
【００６６】
弾力的に伸縮性のあるウエストバンド２１、２２、およびレッグバンド２３が各開口部の周りに延びている。ウエストバンドとレッグバンドは、一定割合の伸縮性のある生地を構成する弾力的に伸縮性のあるニット生地で形成されている。記載の実施例では、生地は約７０％のナイロンと３０％のエラスタン（スパンデックス）生地から形成されたトリコットニット生地である。この生地は、ブリーフ本体の複数のパネルを形成する生地よりも高い伸縮性がある。
【００６７】
前パネル１７は、上エッジ、下エッジ、およびパネルの対向する側面にある２つの側方エッジを有する。前パネルは、上エッジと下エッジの間に延びる垂直中心線に対して対称である。対向する２つの側方エッジは、略凸状であり、上エッジに向かって互いに向かうテーパになっている。２つの側方エッジは、略直角に上エッジと交わる。下エッジは、各側方エッジの底からそれぞれほぼ直角に延びる２つの凹状曲線から形成され、２つの凹状曲線はそれぞれがほぼ直角に中央の実質的に真っ直ぐな部分と交わる。
【００６８】
２つの後パネル１８、１９はそれぞれ、上エッジおよび下エッジと、互いに鏡面対称（mirror opposites）であり、対向する外側エッジおよび内側エッジを有する。上エッジと外側エッジは凸状である。外側エッジは、前パネル１７の外側エッジと実質的に同じ長さである。上エッジは、鈍角で外側エッジと交わる。上エッジの反対側の端部は、略直角に内側エッジと交わる。内側エッジは、上エッジに隣接してわずかに凹状であり、その長さにわたって内側エッジが略全波の形状を有するように、凸状の形状に遷移する。内側エッジは外側エッジのよりも長い。下エッジは、鈍角で内側エッジと交わる実質的に真っ直ぐな部分と、真っ直ぐな部分の反対側の端部から外側エッジの下エッジまで延びる凹状部分とを有する。凹状部分は、直線部分と外側エッジの両方に鈍角で交わる。パネルの下エッジから上エッジまでの高さは、パネルの外エッジから内エッジに向かって増加する。
【００６９】
股下パネル２０は、２つの凹状の側面によってつながる凸状の前エッジおよび後エッジを有し、前エッジと後エッジとの間を通る中心線に対して対称である。前エッジは、正面パネル１７の下縁の中央の実質的に真っ直ぐな部分と同じ長さであり、後エッジの長さは、１つの後パネル１８、１９の下エッジの実質的に真っ直ぐな部分の長さの２倍である。
【００７０】
ウエストバンドは、実質的に同じ前パネル２１および後パネル２２から形成され、それぞれが実質的に台形の形状であり、実質的に平行な上エッジおよび下エッジを有し、上エッジは下エッジよりも短い。平行な２つの辺間の各パネルの高さは同じであり、この例では約６ｃｍである。
【００７１】
この例では、複数のレッグバンド２３はそれぞれ、幅が約４ｃｍであり、単一の細長い、略矩形状の生地のパネルから形成されている。
【００７２】
外衣を形成するために、後パネル１８、１９のそれぞれの内側エッジは、整合されて、それぞれの端部が一緒に縫い合わされ、各後パネルのそれぞれの外側エッジは、それらが、前パネル１７のそれぞれの外側エッジと整合されて縫い付けられる。股下パネル２０の前エッジは、前パネル１７の下エッジの中央の実質的に真っ直ぐな部分に縫い付けられ、後エッジは、後パネル１８、１９の下エッジのそれぞれの隣接する真っ直ぐな部分に縫い付けられる。隣接する接合された複数のパネルの複数のエッジが互いに隣接するように、複数のパネルのすべては、扁平縫いで一緒に縫い付けられる。これが外衣の本体を形成する。
【００７３】
ウエストバンドの正面パネル２１の下エッジは、複数のエッジのそれぞれの端が整列した状態で、正面パネル１７の上エッジに縫い付けられている。同様に、ウエストバンドの背面パネル２２の下エッジは、２つの背面パネル１８、１９の組み合わされた上エッジにそれぞれ縫い付けられている。ウエストバンドのパネル２１，２２は、衣服の正面パネル１７および背面パネル１８、１９にインターナルシーム（internal seam）により縫い付けられている。ウエストバンドを各パネル２１、２２のそれぞれの側辺は、連続ループを形成するために扁平縫いで互いに縫い付けられている。ウエストバンドを構成するパネル２１、２２は上エッジが台形の上辺の長さになるため、ウエストバンドの自由端は、衣服の本体に締められている下エッジよりも長くなる。ウエストバンドを形成するパネル２１、２２の下エッジから上エッジまでの高さは、ウエストバンドの上エッジから股下パネルの下エッジまでの衣服の全高の最低約２５％である。
【００７４】
各レッグバンド２３パネルの長いエッジ（long edge）は、前パネル１７の下エッジの外側凹部、隣接する後パネル１８、１９の下エッジの凹部、および隣接する股下パネル２０の辺によって形成される各脚の開口部の周りに縫い付けられている。レッグバンド２３パネルの長いエッジは、レッグバンドが脚開口部を完全に取り囲むように、それが縫い付けられている他の複数のパネルの複数のエッジの合計長さと同じ長さである。次に、レッグバンドパネルの対向する複数の短辺（short end）を一緒に縫い合わせて、連続したバンドを形成する。
【００７５】
内側のブリーフは、図１から図１１に示されているブリーフと本質的に同じであり、同じ材料から形成され、本質的に同じ構造を有している。内側のブリーフは、図１から図１１に示されているブリーフと以下の点でのみ異なる。
【００７６】
外側シェル１および内側裏地１１を形成する単一のテキスタイルパネルの隣接する複数のエッジは、衣服の左側および右側の両方に沿って一緒に縫い付けられているため、衣服を片側に開くことはできない。内側のレッグパネルはない。そして、ブリーフは外衣に縫い付けられている。これは、ウエストバンドを形成するパネル２１、２２の複数の下エッジ、および外衣の前パネル１７および後パネル１８、１９の複数の上エッジが、ブリーフのウエスト開口部の周りに延びるバインディング材料１４に延在し、ブリーフの外側シェルと内側裏地を形成するテキスタイルパネル１、１１の上エッジとともに、縫い付けられることによって達成される。ステッチのラインは、バインディング材料とその中に捕らえられた複数の材料を通って延び、内衣と外衣を接続する伸縮性のある縫い目を形成する。
【００７７】
内側のブリーフと外衣は、ブリーフの２つの脚口部が外衣の本体によって画定される２つの脚開口部に隣接するか、またはそのすぐ内側になるように、互いに対して形成および配置される。したがって、この組み合わせは、図１２に示す２つの衣服の組み合わせの利点を提供するが、ユーザーがより簡単に着脱できる単一の衣服として快適に着用することができる。内側ブリーフはウエスト周りの外衣にのみ取り付けられているため、内側ブリーフの大部分を裏返しにして、外衣のウエストから延ばして、洗濯を容易にすることができる。
【００７８】
上述の実施の態様は、例としてのみ記載されている。本発明の範囲から逸脱することなく、多くの変形が可能である。
【図１】
2022502578.tif 000003
【図２】
2022502578.tif 000004
【図３】
2022502578.tif 000005
【図４】
2022502578.tif 000006
【図５】
2022502578.tif 000007
【図６】
2022502578.tif 000008
【図７】
2022502578.tif 000009
【図８】
2022502578.tif 000010
【図９】
2022502578.tif 000011
【図１０】
2022502578.tif 000012
【図１１】
2022502578.tif 000013
【図１２】
2022502578.tif 000014
【図１３】
2022502578.tif 000015
【図１４】
2022502578.tif 000016
【図１５】
2022502578.tif 000017
【図１６】
2022502578.tif 000018
【図１７】
2022502578.tif 000019
【図１８】
2022502578.tif 000020
【図１９】
2022502578.tif 000021
【図２０】
2022502578.tif 000022
【図２１】
2022502578.tif 000023
【図２２】
2022502578.tif 000024
【図２３】
2022502578.tif 000025
【図２４】
2022502578.tif 000026
【図２５】
2022502578.tif 000027
【図２６】
2022502578.tif 000028
【図２７】
2022502578.tif 000029
【国際調査報告】
2022502578.tif 000030
2022502578.tif 000031
2022502578.tif 000032
2022502578.tif 000033